(57)【特許請求の範囲】
【請求項１】
上方に開口部を備えるケーブルピットに沿って設置されるとともに、基礎枠の一面にケーブル引き込み口を備えるチャンネルベースに載置された旧配電盤を撤去し、新配電盤に取り替える配電盤の取替方法であって、
前記開口部を挟んで前記旧配電盤の前面に対向するように、かつ前記新配電盤の背面と前記旧配電盤の前記前面の間隔を最小限とするように前記新配電盤を仮設置する新配電盤仮設置工程と、
この新配電盤仮設置工程において仮設置された前記新配電盤を前記旧配電盤の跡位置へ移動させるためのガイドレールを、前記開口部を跨ぐように設置するガイドレール設置工程と、
前記新配電盤仮設置工程において仮設置された前記新配電盤に、新ケーブルを接続する新ケーブル接続工程と、
前記旧配電盤に接続された旧ケーブルを、前記旧配電盤から取り外す旧ケーブル取り外し工程と、
この旧ケーブル取り外し工程において前記旧ケーブルが取り外された前記旧配電盤を撤去する旧配電盤撤去工程と、
前記新配電盤仮設置工程において仮設置された前記新配電盤を、前記ガイドレールを介して前記跡位置へ移動させる新配電盤移動工程と、を備え、前記ガイドレール設置工程は、前記新配電盤仮設置工程と前記新ケーブル接続工程の間に行われることを特徴とする配電盤の取替方法。
【請求項２】
前記ガイドレール設置工程は、前記新配電盤仮設置工程と前記新ケーブル接続工程の間に代えて、前記新ケーブル接続工程の後に行われることを特徴とする請求項１記載の配電盤の取替方法。
【請求項３】
上方に開口部を備えるケーブルピットに沿って設置されるとともに、基礎枠の一面にケーブル引き込み口を備えるチャンネルベースに載置された旧配電盤を撤去し、新配電盤に取り替える配電盤の取替方法であって、
前記開口部を挟んで前記旧配電盤の前面に対向するように、前記新配電盤を仮設置する新配電盤仮設置工程と、
この新配電盤仮設置工程において仮設置された前記新配電盤を前記旧配電盤の跡位置へ移動させるためのガイドレールを、前記開口部を跨ぐように設置するガイドレール設置工程と、
前記新配電盤仮設置工程において仮設置された前記新配電盤に、新ケーブルを接続する新ケーブル接続工程と、
前記旧配電盤に接続された旧ケーブルを、前記旧配電盤から取り外す旧ケーブル取り外し工程と、
この旧ケーブル取り外し工程において前記旧ケーブルが取り外された前記旧配電盤を撤去する旧配電盤撤去工程と、
前記新配電盤仮設置工程において仮設置された前記新配電盤を、前記ガイドレールを介して前記跡位置へ移動させる新配電盤移動工程と、を備える配電盤の取替方法において、前記新配電盤を前記旧配電盤の前記跡位置へ移動させるための前記ガイドレールであって、
前記新配電盤の幅より小さい間隔を空けて並列する第１及び第２の長尺部材と、この第１及び第２の長尺部材同士を連結する連結部と、からなり、
前記第１及び第２の長尺部材は、それぞれ同一平面上に配列される第１及び第２のレール面が形成され、
前記連結部は、一端が前記第１の長尺部材へ分離不能に固定されるとともに、他端が前記第２の長尺部材へ分離不能に固定されることを特徴とするガイドレール。
【請求項４】
上方に開口部を備えるケーブルピットに沿って設置されるとともに、基礎枠の一面にケーブル引き込み口を備えるチャンネルベースに載置された旧配電盤を撤去し、新配電盤に取り替える配電盤の取替方法であって、
前記開口部を挟んで前記旧配電盤の前面に対向するように、前記新配電盤を仮設置する新配電盤仮設置工程と、
この新配電盤仮設置工程において仮設置された前記新配電盤を前記旧配電盤の跡位置へ移動させるためのガイドレールを、前記開口部を跨ぐように設置するガイドレール設置工程と、
前記新配電盤仮設置工程において仮設置された前記新配電盤に、新ケーブルを接続する新ケーブル接続工程と、
前記旧配電盤に接続された旧ケーブルを、前記旧配電盤から取り外す旧ケーブル取り外し工程と、
この旧ケーブル取り外し工程において前記旧ケーブルが取り外された前記旧配電盤を撤去する旧配電盤撤去工程と、
前記新配電盤仮設置工程において仮設置された前記新配電盤を、前記ガイドレールを介して前記跡位置へ移動させる新配電盤移動工程と、を備え、前記ガイドレール設置工程が、前記新配電盤仮設置工程と前記新ケーブル接続工程の間に行われる配電盤の取替方法において、前記新配電盤を前記旧配電盤の前記跡位置へ移動させるための前記ガイドレールであって、
前記新配電盤の幅より小さい間隔を空けて並列する第１及び第２の長尺部材と、この第１及び第２の長尺部材同士を連結する連結部と、からなり、
前記第１及び第２の長尺部材は、それぞれ同一平面上に配列される第１及び第２のレール面が形成され、
前記連結部は、第１及び第２のジョイント部と、この第１及び第２のジョイント部において前記第１及び第２の長尺部材から分離される分離片と、を備えることを特徴とするガイドレール。
【請求項５】
前記ガイドレール設置工程が、前記新配電盤仮設置工程と前記新ケーブル接続工程の間に代えて、前記新ケーブル接続工程の後に行われる前記配電盤の取替方法において、前記新配電盤を前記旧配電盤の前記跡位置へ移動させるための前記ガイドレールであることを特徴とする請求項４記載のガイドレール。
【請求項６】
前記第１及び第２の長尺部材は、それぞれ平行する直線形状をなし、
前記第１及び第２のレール面は、それぞれ第１及び第２のエッジ部が立設され、
この第１及び第２のエッジ部は、互いに前記新配電盤の幅より大きい間隔を空け、対向して配置されることを特徴とする請求項３乃至請求項５のいずれか１項に記載のガイドレール。
【請求項７】
前記第１及び第２のエッジ部のうち、いずれか一方又は両方が切欠部を備え、
この切欠部は、その長さが前記旧配電盤の幅より大きく、かつ、その深さが前記第１及び第２のレール面が配列される前記同一平面に到達するように、切り欠かれることを特徴とする請求項６記載のガイドレール。
【請求項８】
前記第１及び第２の長尺部材は、それぞれ前記第１及び第２のレール面の裏面に、前記第１及び第２の長尺部材を上下方向に昇降させる昇降部材が設けられることを特徴とする請求項３乃至請求項７のいずれか１項に記載のガイドレール。
【発明の詳細な説明】
【技術分野】
【０００１】
本発明は、ケーブルピットの近傍に設置された旧配電盤を新配電盤に取り替える配電盤の取替方法に係り、特に、最初の工程で、ケーブルピットの開口部を挟んで旧配電盤の前面に対向するように、新配電盤を仮設置する配電盤の取替方法およびこれに用いられるガイドレールに関する。
【背景技術】
【０００２】
従来の配電盤のレイアウトについて図１１を参照しながら説明する。図１１（ａ）及び図１１（ｂ）は、それぞれ従来の配電盤のレイアウトを示す平面図及び側面図である。図１１（ａ）及び図１１（ｂ）に示すように、遠隔監視制御装置等の配電盤１００を制御する既設の制御ケーブル１０１は、ケーブルピット１０２に収容され、一端が配電盤１００の背面１００ａ側に接続されるとともに、他端が外部装置１０３と接続されている。
しかし、このケーブルピット１０２は、配電盤室１０４の壁面１０４ａと配電盤１００の背面１００ａの隙間に比較的浅く設置されているため、既存の配電盤１００を撤去した跡位置に新設の配電盤（図示せず）を設置する際の作業スペースが狭小であり、新設の配電盤への新規の制御ケーブル（図示せず）の接続が困難であるという課題があった。
また、配電盤１００は、通常、内部に中空部１０５ａを有する枠体１０５ｂからなるチャンネルベース１０５の上に載置され、さらに、制御ケーブル１０１はケーブルピット１０２からこの中空部１０５ａを通過して配電盤１００の背面１００ａに接続されることから、既設の制御ケーブル１０１を撤去する際や新規の制御ケーブルを接続する際にこれらの制御ケーブルが枠体１０５ｂに引っ掛かり、これらを所望の通りに引き回すことができないという課題もあった。
そこで、このような課題を解決する目的で、近年、配電盤の設置環境等に関わらずこれを容易に取り替えることが可能な配電盤の取替方法に関する技術が開発されており、それに関して既にいくつかの発明が開示されている。
【０００３】
特許文献１には「配電盤および配電盤の取替え工法」という名称で、既設の配電盤を新設の配電盤に取り替える取替え工法に関する発明が開示されている。
以下、特許文献１に開示された発明について説明する。特許文献１に開示された配電盤および配電盤の取替え工法に関する発明は、既設の配電盤をその設置されている位置において上方にかさ上げするステップと、上方にかさ上げされた既設の配電盤に接続されていたケーブルを仮設した新設する配電盤に接続替えするステップと、既設の配電盤を撤去するステップと、仮設している新設する配電盤を既設の配電盤の撤去により空いたスペースに移設するステップとからなることを特徴とすることを特徴とする。
このような特徴を備えた配電盤および配電盤の取替え工法によれば、配電盤室が狭く、新設の配電盤を設置するスペースが確保できなくても、また、システムの長時間の停止が許されない場合でも、簡単に配電盤の取替えができる。
【０００４】
次に、特許文献２には「制御装置取替方法および制御装置」という名称で、既設の制御装置を新たな制御装置に取り替える取替方法に関する発明が開示されている。
特許文献２に開示された制御装置取替方法および制御装置に関する発明は、設置床下からの新設ケーブルを、既設制御装置を介して新設制御装置の制御機器に接続するケーブル接続ステップと、既設制御装置のフレームの一部を切断して、開口部を形成する開口部形成ステップと、ケーブル接続ステップと開口部形成ステップとの後に、既設ケーブルを既設制御装置から取り外し、フレームの開口部に新設ケーブルを通して既設制御装置を撤去する撤去ステップと、撤去ステップの後に、既設制御装置が設置されていた位置に新設制御装置を移動する移動ステップと、を備えることを特徴とする。
このような特徴を有する制御装置取替方法および制御装置によれば、既設制御装置を持ち上げる必要がないので、既設ケーブルに所要の余長を要したり、既設制御装置と天井との間に所要の隙間を要したりしない。そのため、新設制御装置を設置するスペースを確保できない場合であっても、より確実に既設制御装置を新設制御装置に取り替えることができる。
【０００５】
さらに、特許文献３には「制御盤およびその取替方法」という名称で、旧盤と新盤との取替作業に要する労力を低減可能な制御盤およびその取替方法に関する発明が開示されている。
特許文献３に開示された制御盤およびその取替方法に関する発明は、旧盤の前面に相対向させて新たに設置される制御盤である新盤を仮置きするとともに、旧盤の閉塞部材を取外して旧盤の前面にケーブル布設用穴を開口させる工程と、新盤から引出した新ケーブルを、ケーブル布設穴を介して旧盤の底部に開口するケーブルピットに布設して新ケーブルに切替える工程と、旧盤の端子台に接続されている旧ケーブルを端子台から取外して撤去する工程と、仮置きした新盤に向けて旧盤を移動させ、さらに新盤の手前で、移動の方向に交差する方向に移動させることにより、撤去される前の旧盤の設置位置と仮置きした新盤とを結ぶ直線上から旧盤を撤去する工程と、仮置きした新盤を、直線上に沿い、撤去される前の旧盤の設置位置まで直線的に移動させて設置位置に新盤を設置させる工程とを有することを特徴とする。
このような特徴を有する制御盤およびその取替方法によれば、旧盤の下方前面にケーブル布設用穴が開口されるので、旧ケーブルの撤去や新ケーブルの布設を容易に行うことができる。さらに、撤去する旧盤の嵩上げを必要としないことから、短時間で合理的な取替え作業が可能になる。
【先行技術文献】
【特許文献】
【０００６】
【特許文献１】特開２００７−９７３４０号公報
【特許文献２】特開２０１４−６４３９９号公報
【特許文献３】特開２０１４−１４７１４３号公報
【発明の概要】
【発明が解決しようとする課題】
【０００７】
しかしながら、特許文献１に開示された発明においては、配電盤のかさ上げ作業が煩雑であるため、配電盤を迅速に取り替えることが困難な可能性がある。
【０００８】
次に、特許文献２に開示された発明においては、既設制御装置のフレームの一部を切断して、開口部を形成する開口部形成ステップに時間と労力を必要とするので、工期の延長や工費が嵩むおそれがある。また、このような切断を、狭い作業スペースで行うことは困難であるものと考えられる。したがって、制御盤室内の制御盤のレイアウトによっては実施が困難であり、汎用性に欠ける可能性がある。
【０００９】
さらに、特許文献３に開示された発明においては、その図５〜図１１に示されるように、新盤は旧盤を挟んでケーブルピットから離れた位置に仮置きされる。この仮置き位置は、少なくとも旧配電盤の搬出スペースを確保できる程度に、旧盤から離れる必要がある。そのため、仮置き位置で新盤に新ケーブルを接続すると、新盤が旧盤の位置に移動した場合に、新ケーブルの不要な余長が発生する可能性がある。この場合、ケーブルピットの内部空間の有効利用が阻害される。
さらに、特許文献３の図９に開示されたＨアングル（符号３０）の詳細な構成が明確でないが、特許文献３の図１４（ｃ）及び図１４（ｄ）に開示された従来技術と同様な構成であれば、同図９に開示されたＨアングル（符号１０）は、一対のＨアングルが互いに連結されずに一体的な棒形状に形成されたものである。したがって、この一対のＨアングル上を旧盤や新盤が移動すると、Ｈアングルの配置によっては、旧盤等が傾斜したり、横転したりする可能性が考えられる。すなわち、安全かつ確実に配電盤を取り替えることができない可能性がある。
【００１０】
本発明は、このような従来の事情に対処してなされたものであり、煩雑な作業が不要であるとともに、ケーブルの不要な余長が発生せず、しかも安全かつ確実に配電盤を取り替えることが可能な配電盤の取替方法およびこれに用いられるガイドレールを提供することを目的とする。
【課題を解決するための手段】
【００１１】
上記目的を達成するため、第１の発明は、上方に開口部を備えるケーブルピットに沿って設置されるとともに、基礎枠の一面にケーブル引き込み口を備えるチャンネルベースに載置された旧配電盤を撤去し、新配電盤に取り替える配電盤の取替方法であって、開口部を挟んで旧配電盤の前面に対向するように、新配電盤を仮設置する新配電盤仮設置工程と、この新配電盤仮設置工程において仮設置された新配電盤を旧配電盤の跡位置へ移動させるためのガイドレールを、開口部を跨ぐように設置するガイドレール設置工程と、新配電盤仮設置工程において仮設置された新配電盤に、新ケーブルを接続する新ケーブル接続工程と、旧配電盤に接続された旧ケーブルを、旧配電盤から取り外す旧ケーブル取り外し工程と、この旧ケーブル取り外し工程において旧ケーブルが取り外された旧配電盤を撤去する旧配電盤撤去工程と、新配電盤仮設置工程において仮設置された新配電盤を、ガイドレールを介して跡位置へ移動させる新配電盤移動工程と、を備えることを特徴とする。
【００１２】
初めに、本願において、旧配電盤とは取替対象である既設の配電盤をいい、新配電盤とは旧配電盤に替わって設置される新設の配電盤をいう。また、旧ケーブルとは旧配電盤を制御するためにこれに接続された既設の制御ケーブルをいい、新ケーブルとは新配電盤を制御するためにこれに接続される新設の制御ケーブルをいう。
また、本願において、チャンネルベースとは、中空部を有する金属製の基礎枠からなり、この基礎枠の一面にケーブル引き込み口が開口するものをいう。なお、このケーブル引き込み口に閉塞部材が着脱される構成であっても良い。この場合、ケーブル引き込み口及び閉塞部材としては、例えば、基礎枠の一面のうち、一部が分割されて形成されたものが考えられる。
【００１３】
このような構成の発明においては、まず、新配電盤仮設置工程において、ケーブルピットの開口部を挟んで旧配電盤の前面に対向するように、新配電盤が仮設置される。このとき、新配電盤は、新配電盤の底部の高さが旧配電盤の底部の高さと同等になるように、例えば仮チャンネルベースの上に載置される。
次に、ガイドレール設置工程において、仮設置された新配電盤を旧配電盤の跡位置へ移動させるためのガイドレールを、開口部を跨ぐように設置する。このガイドレールとしては、例えば、複数の金属製の板状体が、Ｈ字状に組み合わされて構成されたものが考えられる。また、ガイドレールは、旧配電盤を新配電盤の方向へ移動させるために使用されても良い。
なお、ガイドレール設置工程は、新配電盤仮設置工程の後に代えて、新配電盤仮設置工程の前に行われても良い。
【００１４】
続いて、新ケーブル接続工程において、仮設置された新配電盤に、新ケーブルを接続する。その後、旧ケーブル取り外し工程において、旧配電盤に接続された旧ケーブルを、この旧配電盤から取り外す。
そして、旧配電盤撤去工程において、旧ケーブルが取り外された旧配電盤を撤去する。なお、この撤去時にガイドレールを使用しても良いが、必ずしもガイドレールを使用する必要はない。
さらに、新配電盤移動工程において、仮設置された新配電盤を、ガイドレールを介して旧配電盤の跡位置へ移動させる。この場合、新ケーブルは、ガイドレールに引っ掛かることなくケーブル引き込み口からケーブルピット内に布設される。なお、ケーブル引き込み口に閉塞部材が着脱されるチャンネルベースの場合には、この閉塞部材を、基礎枠から取り外してケーブル引き込み口を露出させた後に、新配電盤を旧配電盤の跡位置へ移動させることが必要である。
その後、ケーブルピットの開口部に設置されたガイドレールを撤去することで、旧配電盤を新配電盤へ取り替える作業が完了する。
【００１５】
次に、第２の発明は、第１の発明において、ガイドレール設置工程は、新配電盤仮設置工程と新ケーブル接続工程の間に代えて、新ケーブル接続工程の後に行われることを特徴とする。
このような構成の発明においては、第１の発明の作用に加えて、新配電盤仮設置工程の直後に、ガイドレールが設置されないため、新ケーブルの接続が第１の発明よりも容易となる。また、ガイドレール設置工程が、旧配電盤撤去工程と新配電盤移動工程の間に行われる場合では、旧ケーブル取り外しと旧配電盤撤去が第１の発明よりも容易となる。
【００１６】
続いて、第３の発明は、第１の発明において、新配電盤を旧配電盤の跡位置へ移動させるためのガイドレールであって、新配電盤の幅より小さい間隔を空けて並列する第１及び第２の長尺部材と、この第１及び第２の長尺部材同士を連結する連結部と、からなり、第１及び第２の長尺部材は、それぞれ同一平面上に配列される第１及び第２のレール面が形成され、連結部は、一端が第１の長尺部材へ分離不能に固定されるとともに、他端が第２の長尺部材へ分離不能に固定されることを特徴とする。
このような構成の発明において、第１及び第２の長尺部材は、第１及び第２の平面が形成されている限り、例えば直線状以外の形状をなしていても良い。また、連結部としては、例えば、新配電盤の幅より小さい長さを有する１本以上の棒状体が使用される。
【００１７】
上記構成の発明においては、第１及び第２の長尺部材が新配電盤の幅より小さい間隔を空けて並列するので、新配電盤が第１及び第２の長尺部材の間から落下しない。さらに、第１及び第２の長尺部材は、連結部によってその間隔が保持されるので、新配電盤が安定的に載置される。また、第１及び第２のレール面によって、載置された新配電盤がスライドして移動される。なお、第３の発明に係るガイドレールは、旧配電盤を新配電盤の方向へ移動させるために使用されても良い。
【００１８】
そして、第４の発明は、第１又は第２の発明において、新配電盤を旧配電盤の跡位置へ移動させるためのガイドレールであって、新配電盤の幅より小さい間隔を空けて並列する第１及び第２の長尺部材と、この第１及び第２の長尺部材同士を連結する連結部と、からなり、第１及び第２の長尺部材は、それぞれ同一平面上に配列される第１及び第２のレール面が形成され、連結部は、第１及び第２のジョイント部と、この第１及び第２のジョイント部において第１及び第２の長尺部材から分離される分離片と、を備えることを特徴とする。
このような構成の発明においては、新配電盤が第１及び第２の長尺部材の上に安定的に載置される。加えて、第２の発明において、新ケーブルがガイドレールの下方に位置する状態であって、新配電盤を旧配電盤の跡位置に移動させる場合に、連結部を第１の長尺部材又は第２の長尺部材から分離させると、新ケーブルは連結部に引っ掛かることなく跡位置に移動する。したがって、本発明に係るガイドレールを、第２の発明において使用することが可能であり、勿論第１の発明においても可能である。なお、第３の発明に係るガイドレールと同様に、第４の発明に係るガイドレールは、旧配電盤を新配電盤の方向へ移動させるために使用されても良い。
【００１９】
そして、第５の発明は、第３又は第４の発明において、第１及び第２の長尺部材は、それぞれ平行する直線形状をなし、第１及び第２のレール面は、それぞれ第１及び第２のエッジ部が立設され、この第１及び第２のエッジ部は、互いに新配電盤の幅より大きい間隔を空け、対向して配置されることを特徴とする。
このような構成の発明においては、第３又は第４の発明の作用に加えて、第１及び第２の長尺部材は、それぞれ平行する直線形状をなすことから、第１及び第２のレール面に沿って直線的に移動する。このとき、第１及び第２のエッジ部が新配電盤の幅より大きい間隔を空け、対向して配置されるため、新配電盤の移動が第１及び第２のエッジ部によって阻害されることがなく、かつ新配電盤が第１及び第２のレール面から落下することが防止される。なお、第３及び第４の発明に係るガイドレールと同様に、第５の発明に係るガイドレールは、旧配電盤を新配電盤の方向へ移動させるために使用されても良い。
【００２０】
そして、第６の発明は、第５の発明において、第１及び第２のエッジ部のうち、いずれか一方又は両方が切欠部を備え、この切欠部は、その長さが旧配電盤の幅より大きく、かつ、その深さが第１及び第２のレール面が配列される同一平面に到達するように、切り欠かれることを特徴とする。
このような構成の発明においては、第５の発明の作用に加えて、旧配電盤が抵抗なく切欠部を超えてスライド移動され、第１及び第２のレール面から降ろされる。
【００２１】
続いて、第７の発明は、第３乃至第６のいずれかの発明において、第１及び第２の長尺部材は、それぞれ第１及び第２のレール面の裏面に、第１及び第２の長尺部材を上下方向に昇降させる昇降部材が設けられることを特徴とする。
このような構成の発明においては、第３乃至第６のいずれかの発明の作用に加えて、第１及び第２のレール面の裏面に昇降部材が設けられることで、第１及び第２のレール面と、新配電盤の底部と、旧配電盤の底部と、が、新配電盤と旧配電盤が配置される床面からいずれも均一の高さになるように適宜調節される。
【発明の効果】
【００２２】
第１の発明によれば、ケーブルピットと制御盤室の壁面の間に設置される旧配電盤を、仮設置工程〜新配電盤移動工程までのそれぞれ簡易な工程によって、新配電盤と取り替えることができる。すなわち、配電盤の取替作業を容易かつ迅速に完了可能であるとともに、工期短縮や工費の節減が可能であり、作業効率を向上させることができる。
また、ガイドレールを、新ケーブルを接続する前に設置することによって、新ケーブルがガイドレールの上方に一時的に配置されるので、ガイドレールの形状に関わらず、新配電盤を旧配電盤の跡位置に移動させる際に、新ケーブルを容易に移動させることが可能である。
さらに、旧配電盤が撤去された後位置には、ガイドレールを介して新配電盤を容易に移動させることができるので、安全かつ確実に新配電盤を旧配電盤の跡位置に設置することが可能である。
【００２３】
次に、第２の発明によれば、第１の発明の効果に加えて、ガイドレールが設置される前に新ケーブルの接続等が行われるので、第１の発明よりも速やかにこれらの接続等を行うことができる。
【００２４】
第３の発明によれば、新配電盤が第１及び第２の長尺部材の間から落下せず安定的に載置されるので、安全に取替作業を行うことができる。
【００２５】
第４の発明によれば、第１及び第２の発明にいずれにおいても、使用することができる。すなわち、ガイドレールを設置するタイミングが異なる場合に対し、適切に対応することが可能であり、利便性が良好である。
【００２６】
第５の発明によれば、第３又は第４の発明の効果に加えて、新配電盤が第１及び第２のレール面に沿って直線的に移動するので、新配電盤を容易にスライド移動させることができる。また、新配電盤の移動が第１及び第２のエッジ部によって阻害されることがなく、かつ新配電盤が第１及び第２のレール面から落下することが防止されるため、作業員の怪我や新配電盤が損傷する危険性を回避することができる。
【００２７】
第６の発明によれば、第５の発明の効果に加えて、切欠部が設けられることで、旧配電盤を速やかに撤去可能である。
【００２８】
第７の発明によれば、第３乃至第６のいずれかの発明の効果に加えて、昇降部材が設けられることで、第１及び第２のレール面の床面からの高さを自在に調節可能である。したがって、ガイドレールを床面上に安定的に設置可能である。また、チャンネルベースの高さや仮チャンネルベースの高さに応じて、第１及び第２のレール面を水平に調整可能なので、新配電盤や旧配電盤を傾斜させることなく安全に移動させることができる。
【図面の簡単な説明】
【００２９】
【図１】本発明の実施例１に係る配電盤の取替方法の工程図である。
【図２】（ａ）及び（ｂ）は、それぞれ取替作業前の旧配電盤のレイアウトを示す平面図及び側面図である。
【図３】（ａ）及び（ｂ）は、それぞれ本発明の実施例１に係る配電盤の取替方法において、新配電盤仮設置工程から旧ケーブル取り外し工程までが行われた場合の、旧配電盤及び新配電盤のレイアウトを示す平面図及び側面図である。
【図４】（ａ）及び（ｂ）は、それぞれ本発明の実施例１に係る配電盤の取替方法において、新配電盤仮設置工程から旧配電盤撤去工程までが行われた場合の、旧配電盤及び新配電盤のレイアウトを示す平面図及び側面図である。
【図５】（ａ）及び（ｂ）は、それぞれ本発明の実施例１に係る配電盤の取替方法において、新配電盤仮設置工程から新配電盤移動工程までが行われた場合の、旧配電盤及び新配電盤のレイアウトを示す平面図及び側面図である。
【図６】（ａ）は本発明の実施例２に係るガイドレールの正面図であり、（ｂ）及び（ｃ）はそれぞれ（ａ）におけるＡ方向矢視図及びＢ方向矢視図である。
【図７】（ａ）は本発明の実施例２に係るガイドレールを構成する昇降部材の拡大図であり、（ｂ）は昇降部材の使用状態を示す外観図である。
【図８】（ａ）は本発明の実施例２の第１の変形例に係るガイドレールの正面図であり、（ｂ）は（ａ）におけるＣ方向矢視図であり、（ｃ）は（ｂ）におけるＤ−Ｄ線矢視図である。
【図９】（ａ）は本発明の実施例２の第２の変形例に係るガイドレールの正面図であり、（ｂ）は（ａ）におけるＥ方向矢視図である。
【図１０】（ａ）は本発明の実施例２の第３の変形例に係るガイドレールの正面図であり、（ｂ）は本発明の実施例２の第４の変形例に係るガイドレールの正面図である。
【図１１】（ａ）及び（ｂ）は、それぞれ従来の配電盤のレイアウトを示す平面図及び側面図である。
【発明を実施するための形態】
【実施例１】
【００３０】
本発明の第１の実施の形態に係る配電盤の取替方法について、図１乃至図５を用いて詳細に説明する。図１は、本発明の実施例１に係る配電盤の取替方法の工程図である。また、図２（ａ）及び図２（ｂ）は、それぞれ取替作業前の旧配電盤のレイアウトを示す平面図及び側面図である。
まず、図１に示す本実施例に係る配電盤の取替方法１は、図２（ａ）及び図２（ｂ）に示すように、上方に開口部２ａを備えるケーブルピット２に沿って、制御盤室３の壁面３ａの近傍に設置されるとともに、基礎枠４ａの一面にケーブル引き込み口４ｂ（図４（ａ）参照）を備えるチャンネルベース４に載置された旧配電盤５を撤去し、新配電盤６（図３参照）に取り替える配電盤の取替方法である。以下、本実施例に係る配電盤の取替方法１について、詳細に説明する。
図１及び図２（ａ）及び図２（ｂ）に示すように、本実施例に係る配電盤の取替方法１は、開口部２ａを挟んで旧配電盤５の前面５ａに対向するように、新配電盤６を仮設置するステップＳ１の新配電盤仮設置工程と、この新配電盤仮設置工程において仮設置された新配電盤６を旧配電盤５の跡位置７（図４参照）へ移動させるためのガイドレール８（図３参照）を、開口部２ａを跨ぐように設置するステップＳ２のガイドレール設置工程と、ステップＳ１の新配電盤仮設置工程において仮設置された新配電盤６に、新ケーブル９（図３参照）を接続するステップＳ３の新ケーブル接続工程と、旧配電盤５に接続された旧ケーブル１０を、この旧配電盤５から取り外すステップＳ４の旧ケーブル取り外し工程と、この旧ケーブル取り外し工程において旧ケーブル１０が取り外された旧配電盤５を撤去するステップＳ５の旧配電盤撤去工程と、ステップＳ１の新配電盤仮設置工程において仮設置された新配電盤６を、ガイドレール８を介して跡位置７へ移動させるステップＳ６の新配電盤移動工程と、を備える。
【００３１】
また、図２（ａ）及び図２（ｂ）に示すように、チャンネルベース４は、中空部を有する四角形状の基礎枠４ａを備え、基礎枠４ａの一面に、ケーブル引き込み口４ｂ（図４（ａ）参照）と、このケーブル引き込み口４ｂを開放又は閉塞可能な蓋部材４ｃが着脱自在に取り付けられている。このチャンネルベース４は、旧配電盤５及び新配電盤６の荷重を考慮して、金属材で形成される。
【００３２】
次に、本実施例に係る配電盤の取替方法１を構成する新配電盤仮設置工程と、ガイドレール設置工程と、新ケーブル接続工程と、旧ケーブル取り外し工程と、について、図３を用いながら詳細に説明する。図３（ａ）及び図３（ｂ）は、それぞれ本発明の実施例１に係る配電盤の取替方法において、新配電盤仮設置工程から旧ケーブル取り外し工程までが行われた場合の、旧配電盤及び新配電盤のレイアウトを示す平面図及び側面図である。なお、図１及び図２で示した構成要素については、図３においても同一の符号を付して、その説明を省略する。
図３（ａ）及び図３（ｂ）に示すように、ステップＳ１の新配電盤仮設置工程においては、新配電盤６が、開口部２ａを挟んで旧配電盤５の前面５ａに新配電盤６の背面６ａが対向するように、制御盤室３の床面３ｂに仮設置される。なお、新配電盤６は、水平方向の断面が長方形状であり、この断面は長辺の幅、すなわち背面６ａの幅Ｗ１と、短辺の幅、すなわち新配電盤６の前後方向の幅Ｗ２と、を有する。そして、新配電盤６は、背面６ａがケーブルピット２の走行方向に平行となるように仮設置される。
このとき、新配電盤６は、床面３ｂからの底部６ｂの高さが、旧配電盤における床面３ｂからの底部５ｂの高さと同等になるように、仮設チャンネルベース１１の上に載置される。この仮設チャンネルベース１１の床面３ｂからの高さは、チャンネルベース４の床面３ｂからの高さと同等である。また、仮設チャンネルベース１１は、チャンネルベース４のケーブル引き込み口４ｂ（図４（ａ）を参照）と同様に、ケーブル引き込み口１１ａが設けられる。
【００３３】
ステップＳ２のガイドレール設置工程においては、略Ｈ字形状のガイドレール８が、開口部２ａを跨ぐように設置される。このとき、ガイドレール８の長尺部材１２，１３の床面３ｂからの高さは、チャンネルベース４及び仮設チャンネルベース１１と同等である。
【００３４】
ステップＳ３の新ケーブル接続工程においては、新配電盤６の背面６ａに、新ケーブル９が接続される。このとき、新ケーブル９は、ガイドレール８の長尺部材１２，１３の下方から連結部１４の上方を通過して背面６ａに接続される。
【００３５】
ステップＳ４の旧ケーブル取り外し工程においては、旧ケーブル１０が、旧配電盤５と外部装置１０３（図１１参照）から取り外される（図３（ａ）中の×印）。
【００３６】
次に、本実施例に係る配電盤の取替方法１を構成する旧配電盤撤去工程について、図４を用いながら詳細に説明する。図４（ａ）及び図４（ｂ）は、それぞれ本発明の実施例１に係る配電盤の取替方法において、新配電盤仮設置工程から旧配電盤撤去工程までが行われた場合の、旧配電盤及び新配電盤のレイアウトを示す平面図及び側面図である。なお、図１乃至図３で示した構成要素については、図４においても同一の符号を付して、その説明を省略する。
図４（ａ）及び図４（ｂ）に示すように、ステップＳ５の旧配電盤撤去工程においては、旧ケーブル１０が取り外された旧配電盤５が撤去され、跡位置７が出現する。この撤去は、ガイドレール８を介して行われる。しかし、必ずしも、ガイドレール８を利用する必要はない。
さらに、図４（ａ）に示すように、旧配電盤５を撤去した後、チャンネルベース４の基礎枠４ａから蓋部材４ｃを引き抜き、ケーブル引き込み口４ｂを露出させておく。
【００３７】
さらに、本実施例に係る配電盤の取替方法１を構成する新配電盤移動工程について、図５を用いながら詳細に説明する。図５（ａ）及び図５（ｂ）は、それぞれ本発明の実施例１に係る配電盤の取替方法において、新配電盤仮設置工程から新配電盤移動工程までが行われた場合の、旧配電盤及び新配電盤のレイアウトを示す平面図及び側面図である。なお、図１乃至図４で示した構成要素については、図５においても同一の符号を付して、その説明を省略する。
図５（ａ）及び図５（ｂ）に示すように、新ケーブル９が背面６ａに接続された新配電盤６は、ガイドレール８を介して旧配電盤５の跡位置７へ移動される。
この後、チャンネルベース４の蓋部材４ｃがケーブル引き込み口４ｂ（図４（ａ）参照）へ装着され、ガイドレール８及び仮設チャンネルベース１１が撤去されると、旧配電盤５を新配電盤６へ取り替える作業が完了する。
【００３８】
以上説明したように、本実施例に係る配電盤の取替方法１によれば、ステップＳ１の新配電盤仮設置工程からステップＳ６の新配電盤移動工程というわずか６つのそれぞれ簡易な工程によって、旧配電盤５を新配電盤６へ容易かつ迅速に取り替えることができる。
より詳細には、ケーブルピット２の開口部２ａを挟んで旧配電盤５の前面５ａに対向するように新配電盤６を仮設置するので、旧配電盤５と新配電盤６の間隔を最小限とすることが可能である。そのため、新配電盤６を旧配電盤５の跡位置７に設置した際に、新ケーブル９の余長が発生せず、ケーブルピット２の内部を有効に利用することができるとともに、新ケーブル９を購入する費用の低減を図ることができる。さらに、新配電盤６の移動距離も最小限となるので、移動時の労力をも軽減することができる。
【００３９】
さらに、新配電盤６に新ケーブル９を接続してから旧ケーブル１０を取り外すため、旧配電盤５が稼働を停止した後、新配電盤６の稼働を瞬時に開始させることができる。したがって、旧配電盤５の取替に際して、遠隔監視制御等の業務を円滑に継続することが可能である。
加えて、旧配電盤５が載置されるチャンネルベース４は、基礎枠４ａの一面にケーブル引き込み口４ｂを備えることから、新ケーブル９にこのケーブル引き込み口４ｂを通過させることができる。そのため、旧配電盤のかさ上げ作業や既設制御装置のフレームの一部を切断する開口部形成作業等の煩雑な作業が不要であるとともに、余長のない新ケーブル９を容易に旧ケーブル１０の跡位置へ配置させることができる。
次に、旧配電盤５が撤去された後位置には、チャンネルベース４及び仮設チャンネルベース１１と同等の床面３ｂからの高さを有するガイドレール８を介して新配電盤６を容易に移動させることができるので、安全かつ確実に新配電盤６を旧配電盤５の跡位置７に設置することが可能である。
【００４０】
続いて、本実施例に係る配電盤の取替方法１の変形例について、図１を用いて詳細に説明する。
図１に示すように、ステップＳ２のガイドレール設置工程は、ステップＳ１の新配電盤仮設置工程とステップＳ３の新ケーブル接続工程の間に代えて、ステップＳ５の旧配電盤撤去工程とステップＳ６の新配電盤移動工程の間に行われる（ステップＳ２´のガイドレール設置工程）。
ステップＳ２´のガイドレール設置工程においては、新ケーブル９がガイドレール８の長尺部材１２，１３の下方から連結部１４（図６乃至図８参照）の下方を通過して背面６ａに接続される。ただし、その状態で新配電盤６を旧配電盤５の跡位置７に移動させると、新ケーブル９が連結部１４に引っ掛かるため、本変形例を実施する場合には、本発明の実施例２の第２乃至第４の変形例に係るガイドレールを使用することが必要である。なお、ステップＳ２´のガイドレール設置工程は、ステップＳ３の新ケーブル接続工程とステップＳ４の旧ケーブル取り外し工程の間や、ステップＳ４の旧ケーブル取り外し工程とステップＳ５の旧配電盤撤去工程の間に行われても良い。
本発明に係る配電盤の取替方法１の変形例によれば、ガイドレール８が設置される前に新ケーブルの接続等が行われるので、第１の発明よりも速やかにこれらの接続等を行うことができる。また、ガイドレール８を設置するタイミングを、複数種類選択できるので、実施例１に係る配電盤の取替方法１よりも取替作業の自由度を拡大させることができる。
これ以外の構成、作用及び効果は、実施例１に係る配電盤の取替方法１と同様である。
【００４１】
なお、本実施例及びその変形例に係る配電盤の取替方法は、前述したものに限定されない。例えば、チャンネルベース４の基礎枠４ａから蓋部材４ｃを引き抜く作業は、ステップＳ１の新配電盤仮設置工程の前からステップＳ６の新配電盤移動工程の直前までの間のうち、いずれのタイミングで行われても良い。
【実施例２】
【００４２】
本発明の第２の実施の形態に係るガイドレールについて、図６乃至図１０を用いて詳細に説明する。図６（ａ）は本発明の実施例２に係るガイドレールの正面図であり、（ｂ）及び（ｃ）はそれぞれ（ａ）におけるＡ方向矢視図及びＢ方向矢視図である。なお、図１乃至図５で示した構成要素については、図６においても同一の符号を付して、その説明を省略する。
図６（ａ）及び図６（ｂ）に示すように、本実施例に係るガイドレール８は、実施例１の配電盤の取替方法１において、新配電盤６を旧配電盤５の跡位置７へ移動させるためのガイドレールであって、新配電盤６の幅Ｗ１より小さい間隔Ｌ１を空けて並列する長尺部材１２，１３と、この長尺部材１２，１３同士を連結する連結部１４と、からなる。なお、長尺部材１２，１３と、連結部１４は、強度を考慮すると、それぞれ金属製であることが望ましい。
長尺部材１２，１３は、それぞれ同一平面Ｐ上に配列されるレール面１５，１６が形成され、連結部１４は、一端１４ａが長尺部材１２へ分離不能に固定されるとともに、他端１４ｂが長尺部材１３へ分離不能に固定される。
さらに、長尺部材１２，１３は、それぞれ平行する直線形状をなし、レール面１５，１６は、それぞれエッジ部１７，１８が立設される。
このエッジ部１７，１８は、互いに新配電盤６の幅Ｗ１（図３（ａ）参照）より大きい間隔Ｌ２を空け、対向して配置される。
また、長尺部材１２，１３は、それぞれレール面１５，１６の裏面１５ａ，１６ａの両端部に、長尺部材１２，１３を上下方向に昇降させる昇降部材３８が、それぞれ設けられる。この昇降部材３８については、以下、図７を用いながら説明する。
【００４３】
本発明の第２の実施の形態に係るガイドレールを構成する昇降部材について、図７を用いて詳細に説明する。図７（ａ）は本発明の実施例２に係るガイドレールを構成する昇降部材の拡大図であり、図７（ｂ）は昇降部材の使用状態を示す外観図である。なお、図１乃至図６で示した構成要素については、図７においても同一の符号を付して、その説明を省略する。
図７（ａ）に示すように、昇降部材３８は、上端が裏面１５ａ，１６ａ（図６参照）に固定され、内壁に雌ネジ部４２ａが刻設される筒状体３９と、雌ネジ部４２ａに螺合する雄ネジ部４２ｂが刻設され、筒状体３９に挿入される棒体４０と、棒体４０をその長軸方向を中心として回動可能に支持する支持板４１と、を備える。
昇降部材３８は、手動で棒体４０を上記のように回動させると、雄ネジ部４２ｂが雌ネジ部４２ａに沿って上昇又は下降する。
したがって、昇降部材３８のそれぞれについて棒体４０を回動させることで、レール面１５，１６と、仮設チャンネルベース１１に載置された新配電盤６の底部６ｂ（図３（ｂ）を参照）と、チャンネルベース４に載置された旧配電盤５の底部５ｂ（図３（ｂ）を参照）と、が、床面３ｂからいずれも均一の高さになるように適宜調節される。
【００４４】
本実施例に係るガイドレール８においては、長尺部材１２，１３が新配電盤６の幅Ｗ１より小さい間隔Ｌ１を空けて並列するので、新配電盤６が長尺部材１２，１３の間から落下しない。さらに、長尺部材１２，１３は、連結部１４によってその間隔Ｌ１が一定に保持されるので、新配電盤６が移動中に間隔Ｌ１が変化することがなく、新配電盤６は長尺部材１２，１３の上に安定的に載置される。
また、長尺部材１２，１３は、それぞれ平行する直線形状をなすことから、新配電盤６がレール面１５，１６に沿って直線的に移動する。このとき、エッジ部１７，１８が新配電盤６の幅Ｗ１より大きい間隔Ｌ２を空け、対向して配置されるため、新配電盤６の移動がレール面１５，１６によって阻害されることがなく、かつ新配電盤６がレール面１５，１６から落下することが防止される。
【００４５】
以上説明したように、本実施例に係るガイドレール８によれば、新配電盤６が長尺部材１２，１３の間から落下せず安定的に載置されるので、安全に取替作業を行うことができる。また、レール面１５，１６によって、載置された新配電盤６がスライドして移動されるので、新配電盤６を移動させる労力を軽減可能であるとともに、確実に新配電盤６を旧配電盤５の跡位置７へ移動させることができる。
加えて、昇降部材３８によって、レール面１５，１６の床面３ｂからの高さを自在に調節可能である。したがって、床面３ｂの傾斜や凹凸によってガイドレール８自体が傾斜しないように、ガイドレール８を床面３ｂ上に安定的に設置可能である。また、チャンネルベース４の高さや仮設チャンネルベース１１の高さに応じてレール面１５，１６を水平に調整可能なので、新配電盤６や旧配電盤５を傾斜させたり、落下させたりすることがなく、これらを安全に移動させることができる。
【００４６】
さらに、新配電盤６の移動がエッジ部１７，１８によって阻害されることがなく、かつ新配電盤６がレール面１５，１６から落下することが防止されるため、作業員の怪我や新配電盤６が損傷する危険性を回避することができる。
ただし、実施例１の変形例に係る配電盤の取替方法１において、ガイドレール８を使用すると、新配電盤６を旧配電盤５の跡位置７に移動させるときに、新ケーブル９が連結部１４に引っ掛かってしまう。
しかし、この場合であっても、新ケーブル９の余長がある場合には、新ケーブル９にガイドレール８の長尺部材１２，１３をくぐらせることで、この引っ掛かりを解くことができる。しかし、新ケーブル９の余長が最小限に抑制されていることから、新ケーブル９の連結部１４への引っ掛かりを解くことが困難であり、その結果、新ケーブル９をケーブルピット２に布設させることが困難となる。
そこで、実施例１の変形例に係る配電盤の取替方法１において、新ケーブル９の引っ掛かりを発生させないためには、後述する本実施例の第２乃至第４の変形例に係るガイドレール２１，２６，３２が使用される。
【００４７】
さらに、本実施例に係るガイドレールの第１の変形例について、図８を用いて詳細に説明する。図８（ａ）は本発明の実施例２の第１の変形例に係るガイドレールの正面図であり、図８（ｂ）は図８（ａ）におけるＣ方向矢視図であり、図８（ｃ）は図８（ｂ）におけるＤ−Ｄ線矢視図である。なお、図１乃至図７で示した構成要素については、図８においても同一の符号を付して、その説明を省略する。また、実施例２に係る昇降部材３８の図示も省略する。
図８（ａ）乃至図８（ｃ）に示すように、本発明の実施例２の第１の変形例に係るガイドレール１９においては、エッジ部１７，１８のうち、エッジ部１８が切欠部２０を備える。
この切欠部２０は、その長さが少なくとも旧配電盤５の幅Ｗ２（図３（ｂ）参照）より大きく、かつその深さがレール面１５，１６が配列される同一平面Ｐに到達するように、切り欠かれる。これ以外の構成は、実施例２に係るガイドレール８と同様である。
【００４８】
本実施例の第１の変形例に係るガイドレール１９においては、切欠部２０の最下部２０ａとレール面１６の間に段差がない。そのため、旧配電盤５が抵抗なく切欠部２０を超えてスライド移動され、レール面１５，１６から降ろされる。
【００４９】
以上説明したように、本実施例の第１の変形例に係るガイドレール１９によれば、切欠部２０が設けられることによって、旧配電盤５をレール面１５，１６から容易に降ろすことができるので、旧配電盤５を撤去する際の労力を軽減することができる。
【００５０】
さらに、本実施例に係るガイドレールの第２の変形例について、図９を用いて詳細に説明する。図９（ａ）は本発明の実施例２の第２の変形例に係るガイドレールの正面図であり、図９（ｂ）は図９（ａ）におけるＥ方向矢視図である。なお、図１乃至図８で示した構成要素については、図９においても同一の符号を付して、その説明を省略する。また、実施例２に係る昇降部材３８の図示も省略する。
図９（ａ）及び図９（ｂ）に示すように、本発明の実施例２の第２の変形例に係るガイドレール２１においては、連結部２２は、ジョイント部２３，２４と、このジョイント部２３，２４において長尺部材１２，１３から分離される分離片２５と、を備える。
ジョイント部２３は留めネジ２３ａとこれが螺合するネジ孔２３ｂから構成され、ジョイント部２４もこれと同様に留めネジ２４ａとこれが螺合するネジ孔２４ｂから構成される。これ以外の構成は、実施例２に係るガイドレール８と同様である。
【００５１】
本実施例の第２の変形例に係るガイドレール２１においては、分離片２５が長尺部材１２，１３から分離されるので、実施例１の変形例に係る配電盤の取替方法において、ガイドレール２１の設置が新ケーブル接続工程の後に行われ、新ケーブル９がガイドレール２１の下方に位置する状態であっても、新配電盤６を旧配電盤５の跡位置７に移動させるときに、新ケーブル９が連結部２２に引っ掛かかることがない。これ以外の作用は、実施例２に係るガイドレール８と同様である。
【００５２】
以上説明したように、本実施例の第２の変形例に係るガイドレール２１によれば、実施例１に係る配電盤の取替方法１と、その変形例に係る配電盤の取替方法においても使用することは可能である。また、ジョイント部２３，２４において、留めネジ２３ａ，２４ａとネジ孔２３ｂ，２４ｂの螺合を解除することで、ガイドレール２１をコンパクトに運搬や収容することができる。これ以外の効果は、実施例２に係るガイドレール８と同様である。
なお、第１の変形例に係るガイドレール１９が有する特徴と、第２の変形例に係るガイドレール２１が有する特徴を併せ持ったガイドレールとしてもよい。
この場合、第２の変形例に係るガイドレール２１が有する特徴に代えて、以下に示す、第３又は第４の変形例に係るガイドレール２６又はガイドレール３２が有する特徴を備えることもできる。
【００５３】
さらに、本実施例に係るガイドレールの第３及び第４の変形例について、図１０を用いて詳細に説明する。図１０（ａ）は本発明の実施例２の第３の変形例に係るガイドレールの正面図であり、図１０（ｂ）は本発明の実施例２の第４の変形例に係るガイドレールの正面図である。なお、図１乃至図９で示した構成要素については、図１０においても同一の符号を付して、その説明を省略する。また、実施例２に係る昇降部材３８の図示も省略する。
図１０（ａ）に示すように、本発明の実施例２の第３の変形例に係るガイドレール２６においては、連結部２７は、分離片２５の一端２５ａ及び他端２５ｂがそれぞれ分離され、又は接合される接合部２７ａ，２７ｂを備える。
ジョイント部２８は、分離片２５の一端２５ａが接合部２７ａに接合したものであり、分離片２５をレール面１５，１６に対して垂直方向（α方向）に回動させるヒンジ３０が形成されている。
ジョイント部２９は、分離片２５の他端２５ｂを、接合部２７ｂから分離又はこの接合部２７ｂへ接合させる留め部材３１が備えられる。
留め部材３１は、留めネジ３１ａとこれが螺合するネジ孔３１ｂから構成される。これ以外の構成は、本実施例の第２の変形例に係るガイドレール２１と同様である。
【００５４】
図１０（ｂ）に示すように、本発明の実施例２の第４の変形例に係るガイドレール３２においては、連結部３３は、分離片２５の一端２５ａ及び他端２５ｂがそれぞれ分離され、又は接合される接合部３３ａ，３３ｂを備える。
ジョイント部３４は、分離片２５の一端２５ａが接合部３３ａに接合したものであり、分離片２５をレール面１５，１６に対して平行方向（β方向）に回動させる回動軸３６が形成されている。
ジョイント部３５は、分離片２５の他端２５ｂを、接合部３３ｂから分離又はこの接合部３３ｂへ接合させる留め部材３７が備えられる。
留め部材３７は、留めネジ３７ａとこれが嵌合する嵌合部３７ｂから構成される。これ以外の構成は、本実施例の第２の変形例に係るガイドレール２１と同様である。
【００５５】
本実施例の第３の変形例に係るガイドレール２６においては、留めネジ３１ａのネジ孔３１ｂに対する螺合を解除すると、分離片２５がレール面１５，１６に対して垂直方向（α方向）に回動するので、実施例１の変形例に係る配電盤の取替方法において、新ケーブル９がガイドレール２１の下方に位置する状態であっても、新ケーブル９が新配電盤６を旧配電盤５の跡位置７に移動させるときに、新ケーブル９が連結部２７を通過可能である（図１０（ａ）中の白抜矢印）。これ以外の効果は、実施例２に係るガイドレール８と同様である。
本実施例の第４の変形例に係るガイドレール３２においては、留めネジ３７ａの嵌合部３７ｂに対する嵌合を解除すると、分離片２５がレール面１５，１６に対して平行方向（β方向）に回動するので、実施例１の変形例に係る配電盤の取替方法において、本実施例の第３の変形例に係るガイドレール２６と同様に、新ケーブル９が連結部３３を通過可能である（図１０（ｂ）中の白抜矢印）。これ以外の作用は、本実施例の第２の変形例に係るガイドレール２１と同様である。
【００５６】
以上説明したように、本実施例の第３及び第４の変形例に係るガイドレール２６，３２によれば、留めネジ３１ａ，３７ａの螺合や嵌合を解除することで、新ケーブル９に連結部２７を通過させることができる。したがって、本実施例の第２の変形例に係るガイドレール２１よりも容易な操作によって、新ケーブル９を旧ケーブル１０の跡位置に移動させることができる。これ以外の効果は、本実施例の第２の変形例に係るガイドレール２１と同様である。
【００５７】
なお、本実施例及びその変形例に係るガイドレールは、前述したものに限定されない。例えば、本実施例に係るガイドレール８において、連結部１４は伸縮可能に構成されても良い。また、本実施例の第１の変形例に係るガイドレール１９において、切欠部２０は、エッジ部１８の中央部分でなく、エッジ部１８の端部寄りに設けられても良い。さらに、本実施例の第２の変形例に係るガイドレール２１において、ジョイント部２３，２４同士は、図９に示すものよりも、近接又は離隔しても良い。加えて、本実施例の第３の変形例に係るガイドレール２６，３２において、分離片２５の他端２５ｂが、それぞれ図１０（ａ）及び図１０（ｂ）に図示された方向と逆の方向に回動されても良い。この他、昇降部材３８は、図６及び図７で示した以外の構成であっても良い。さらに、ガイドレール８，１９，２１，２６，３２において、昇降部材３８は、必ずしも設けられなくても良い。
【産業上の利用可能性】
【００５８】
本発明は、ケーブルピットの近傍に設置された旧配電盤を新配電盤に取り替える配電盤の取替方法およびこれに用いられるガイドレールとして適用可能である。
【符号の説明】
【００５９】
１…配電盤の取替方法  ２…ケーブルピット  ２ａ…開口部  ３…制御盤室  ３ａ…壁面  ３ｂ…床面  ４…チャンネルベース  ４ａ…基礎枠  ４ｂ…ケーブル引き込み口  ４ｃ…蓋部材  ５…旧配電盤  ５ａ…前面  ５ｂ…底部  ６…新配電盤  ６ａ…背面  ６ｂ…底部  ７…跡位置  ８…ガイドレール  ９…新ケーブル  １０…旧ケーブル  １１…仮設チャンネルベース  １１ａ…ケーブル引き込み口  １２，１３…長尺部材  １４…連結部  １４ａ…一端  １４ｂ…他端  １５，１６…レール面  １５ａ，１６ａ…裏面  １７，１８…エッジ部  １９…ガイドレール  ２０…切欠部  ２０ａ…最下部  ２１…ガイドレール  ２２…連結部  ２３，２４…ジョイント部  ２３ａ，２４ａ…留めネジ  ２３ｂ，２４ｂ…ネジ孔  ２５…分離片  ２５ａ…一端  ２５ｂ…他端  ２６…ガイドレール  ２７…連結部  ２７ａ，２７ｂ…接合部  ２８，２９…ジョイント部  ３０…ヒンジ  ３１…留め部材  ３１ａ…留めネジ  ３１ｂ…ネジ孔  ３２…ガイドレール  ３３…連結部  ３３ａ，３３ｂ…接合部  ３４，３５…ジョイント部  ３６…回動軸  ３７…留め部材  ３７ａ…留めネジ  ３７ｂ…嵌合部  ３８…昇降部材  ３９…筒状体  ４０…棒体  ４１…支持板  ４２ａ…雌ネジ部  ４２ｂ…雄ネジ部  １００…配電盤  １００ａ…背面  １０１…制御ケーブル  １０２…ケーブルピット  １０３…外部装置  １０４…配電盤室  １０４ａ…壁面  １０５…チャンネルベース  １０５ａ…中空部  １０５ｂ…枠体
【図１】
0006575846.tif 000002
【図２】
0006575846.tif 000003
【図３】
0006575846.tif 000004
【図４】
0006575846.tif 000005
【図５】
0006575846.tif 000006
【図６】
0006575846.tif 000007
【図７】
0006575846.tif 000008
【図８】
0006575846.tif 000009
【図９】
0006575846.tif 000010
【図１０】
0006575846.tif 000011
【図１１】
0006575846.tif 000012